(57)【特許請求の範囲】
【請求項１】
移動通信端末（２）に対して送受信する複数のメッセージを取得して解析するメッセージ解析部（３１）と、
前記メッセージ解析部が解析した複数のメッセージのうち互いに関連性を有し時系列的に連続する一連のメッセージ群を検出し、検出したメッセージ群ごとにタグを関連付けて付加するタグ付加部（３３）と、
前記タグ付加部が付加したタグとこのタグに関連付けられたメッセージ群とを表示する表示部（２２）と、
前記タグ付加部が付加した複数のタグと前記複数のタグにそれぞれ関連付けられた複数のメッセージ群から所定のタグを検索するタグ検索部（３６）と、
を備え、
前記表示部は、所定の通信シーケンス順に前記メッセージ群を表示するメッセージ欄を表示するとともに、前記メッセージ欄において前記タグを前記メッセージ群の先頭及び最後尾のいずれか一方に表示する機能と、前記タグ検索部が検索したタグとこのタグに関連付けられたメッセージ群とを表示する機能と、を有することを特徴とする移動通信端末試験装置。
【請求項２】
移動通信端末（２）に対して送受信する複数のメッセージを取得して解析するメッセージ解析部（３１）と、
前記メッセージ解析部が解析した複数のメッセージのうち互いに関連性を有し時系列的に連続する一連のメッセージ群を検出し、検出したメッセージ群ごとにタグを関連付けて付加するタグ付加部（３３）と、
前記タグ付加部が付加したタグとこのタグに関連付けられたメッセージ群とを表示する表示部（２２）と、
前記表示部に表示された１つのメッセージを選択したことを示すカーソルを前記表示部に表示させるカーソル表示部（３４ａ）と、
前記表示部に表示された少なくとも１つのメッセージを前記表示部に識別表示させる識別表示制御部（３４）と、
を備え、
前記表示部は、所定の通信シーケンス順に前記メッセージ群を表示するメッセージ欄を表示するとともに、前記メッセージ欄において前記タグを前記メッセージ群の先頭及び最後尾のいずれか一方に表示するものであり、
前記識別表示制御部は、前記カーソルで選択されたメッセージを含むメッセージ群と、前記カーソルで選択されたメッセージを含まないメッセージ群と、を前記表示部に識別表示させるものであることを特徴とする移動通信端末試験装置。
【請求項３】
移動通信端末（２）に対して送受信する複数のメッセージを取得して解析するメッセージ解析ステップ（Ｓ１２）と、
前記メッセージ解析ステップにおいて解析した複数のメッセージのうち互いに関連性を有し時系列的に連続する一連のメッセージ群を検出し、検出したメッセージ群ごとにタグを関連付けて付加するタグ付加ステップ（Ｓ１４）と、
前記タグ付加ステップで付加したタグとこのタグに関連付けられたメッセージ群とを表示する表示ステップ（Ｓ１５）と、
前記タグ付加ステップで付加した複数のタグと前記複数のタグにそれぞれ関連付けられた複数のメッセージ群から所定のタグを検索するタグ検索ステップと、
を含み、
前記表示ステップは、所定の通信シーケンス順に前記メッセージ群を表示するメッセージ欄を表示するとともに、前記メッセージ欄において前記タグを前記メッセージ群の先頭及び最後尾のいずれか一方に表示するステップと、前記タグ検索ステップで検索したタグとこのタグに関連付けられたメッセージ群とを表示するステップと、を含むことを特徴とするメッセージ表示方法。
【請求項４】
移動通信端末（２）に対して送受信する複数のメッセージを取得して解析するメッセージ解析ステップ（Ｓ１２）と、
前記メッセージ解析ステップにおいて解析した複数のメッセージのうち互いに関連性を有し時系列的に連続する一連のメッセージ群を検出し、検出したメッセージ群ごとにタグを関連付けて付加するタグ付加ステップ（Ｓ１４）と、
前記タグ付加ステップで付加したタグとこのタグに関連付けられたメッセージ群とを表示する表示ステップ（Ｓ１５）と、
前記表示ステップで表示された１つのメッセージを選択したことを示すカーソルを前記表示ステップにおいて表示させるカーソル表示ステップと、
前記表示ステップで表示された少なくとも１つのメッセージを前記表示ステップにおいて識別表示させる識別表示制御ステップと、
を含み、
前記表示ステップは、所定の通信シーケンス順に前記メッセージ群を表示するメッセージ欄を表示するとともに、前記メッセージ欄において前記タグを前記メッセージ群の先頭及び最後尾のいずれか一方に表示するステップを含み、
前記識別表示制御ステップは、前記カーソルで選択されたメッセージを含むメッセージ群と、前記カーソルで選択されたメッセージを含まないメッセージ群と、を前記表示ステップで識別表示させるステップを含むことを特徴とするメッセージ表示方法。
【発明の詳細な説明】
【技術分野】
【０００１】
本発明は、例えば携帯電話やモバイル端末等の移動通信端末を試験する移動通信端末試験装置及びメッセージ表示方法に関する。
【背景技術】
【０００２】
携帯電話等の通信端末を新たに開発した場合、この開発した通信端末が実際に使用される環境で正常に動作するか否かを試験する必要がある。しかしながら、この新規に開発された通信端末と既に稼働中の実際の基地局との間で各種の試験用の通信情報を送受信して、この新規に開発された通信端末が正常に動作するか否かを試験することは非常に困難である。
【０００３】
そこで、新規に開発された通信端末を、実際の基地局の機能を有する擬似基地局に接続して、通信端末と擬似基地局との間で各種の通信情報を送受信して、新規に開発された通信端末が正常に動作するか否かの試験を実施する試験装置が知られている（例えば、特許文献１参照）。この試験装置は、試験対象の移動通信端末と擬似基地局との間で送受信される各種のメッセージを取得し、通信履歴を表すトレース情報として表示器に表示するトレース機能を有する。このトレース機能を利用して、通信情報の詳細な時系列的な複数のログ情報をトレース情報として表示出力することによって、試験対象の移動通信端末が正常に動作しなかった場合における異常の発生要因の究明が容易になる。
【先行技術文献】
【特許文献】
【０００４】
【特許文献１】特開２００８−１９３３１４号公報
【発明の概要】
【発明が解決しようとする課題】
【０００５】
ところで、近年、移動通信端末の通信規格として、Ｗ−ＣＤＭＡ（Wideband-Code Division Multiple Access）や、これの次世代の通信規格としてＬＴＥ（Long Term Evolution）と呼ばれる通信規格が導入され、通信のさらなる高速化が図られている。このような状況下においては、擬似基地局が移動通信端末と送受信するメッセージの量や、単位時間当たりに処理する必要があるトレース情報の量が膨大になる。
【０００６】
しかしながら、従来の試験装置では、試験用に送受信される膨大なメッセージを時系列的に表示するのみであるので、試験者にとって所望のメッセージを発見するのが難しく、視認性に乏しいという課題があった。
【０００７】
本発明は、前述のような事情に鑑みてなされたものであり、従来のものよりも視認性を高めてメッセージを表示することができる移動通信端末試験装置及びメッセージ表示方法を提供することを目的とする。
【課題を解決するための手段】
【０００８】
本発明の請求項１に係る移動通信端末試験装置は、移動通信端末（２）に対して送受信する複数のメッセージを取得して解析するメッセージ解析部（３１）と、前記メッセージ解析部が解析した複数のメッセージのうち互いに関連性を有し時系列的に連続する一連のメッセージ群を検出し、検出したメッセージ群ごとにタグを関連付けて付加するタグ付加部（３３）と、前記タグ付加部が付加したタグとこのタグに関連付けられたメッセージ群とを表示する表示部（２２）と、前記タグ付加部が付加した複数のタグと前記複数のタグにそれぞれ関連付けられた複数のメッセージ群から所定のタグを検索するタグ検索部（３６）と、を備え、前記表示部は、所定の通信シーケンス順に前記メッセージ群を表示するメッセージ欄を表示するとともに、前記メッセージ欄において前記タグを前記メッセージ群の先頭及び最後尾のいずれか一方に表示する機能と、前記タグ検索部が検索したタグとこのタグに関連付けられたメッセージ群とを表示する機能と、を有する構成を有している。
【０００９】
本発明の請求項２に係る移動通信端末試験装置は、移動通信端末（２）に対して送受信する複数のメッセージを取得して解析するメッセージ解析部（３１）と、前記メッセージ解析部が解析した複数のメッセージのうち互いに関連性を有し時系列的に連続する一連のメッセージ群を検出し、検出したメッセージ群ごとにタグを関連付けて付加するタグ付加部（３３）と、前記タグ付加部が付加したタグとこのタグに関連付けられたメッセージ群とを表示する表示部（２２）と、前記表示部に表示された１つのメッセージを選択したことを示すカーソルを前記表示部に表示させるカーソル表示部（３４ａ）と、前記表示部に表示された少なくとも１つのメッセージを前記表示部に識別表示させる識別表示制御部（３４）と、を備え、前記表示部は、所定の通信シーケンス順に前記メッセージ群を表示するメッセージ欄を表示するとともに、前記メッセージ欄において前記タグを前記メッセージ群の先頭及び最後尾のいずれか一方に表示するものであり、前記識別表示制御部は、前記カーソルで選択されたメッセージを含むメッセージ群と、前記カーソルで選択されたメッセージを含まないメッセージ群と、を前記表示部に識別表示させるものである構成を有している。
【００１０】
本発明の請求項３に係る移動通信端末試験方法は、移動通信端末（２）に対して送受信する複数のメッセージを取得して解析するメッセージ解析ステップ（Ｓ１２）と、前記メッセージ解析ステップにおいて解析した複数のメッセージのうち互いに関連性を有し時系列的に連続する一連のメッセージ群を検出し、検出したメッセージ群ごとにタグを関連付けて付加するタグ付加ステップ（Ｓ１４）と、前記タグ付加ステップで付加したタグとこのタグに関連付けられたメッセージ群とを表示する表示ステップ（Ｓ１５）と、前記タグ付加ステップで付加した複数のタグと前記複数のタグにそれぞれ関連付けられた複数のメッセージ群から所定のタグを検索するタグ検索ステップと、を含み、前記表示ステップは、所定の通信シーケンス順に前記メッセージ群を表示するメッセージ欄を表示するとともに、前記メッセージ欄において前記タグを前記メッセージ群の先頭及び最後尾のいずれか一方に表示するステップと、前記タグ検索ステップで検索したタグとこのタグに関連付けられたメッセージ群とを表示するステップと、を含む構成を有している。
【００１１】
本発明の請求項４に係る移動通信端末試験方法は、移動通信端末（２）に対して送受信する複数のメッセージを取得して解析するメッセージ解析ステップ（Ｓ１２）と、前記メッセージ解析ステップにおいて解析した複数のメッセージのうち互いに関連性を有し時系列的に連続する一連のメッセージ群を検出し、検出したメッセージ群ごとにタグを関連付けて付加するタグ付加ステップ（Ｓ１４）と、前記タグ付加ステップで付加したタグとこのタグに関連付けられたメッセージ群とを表示する表示ステップ（Ｓ１５）と、前記表示ステップで表示された１つのメッセージを選択したことを示すカーソルを前記表示ステップにおいて表示させるカーソル表示ステップと、前記表示ステップで表示された少なくとも１つのメッセージを前記表示ステップにおいて識別表示させる識別表示制御ステップと、を含み、前記表示ステップは、所定の通信シーケンス順に前記メッセージ群を表示するメッセージ欄を表示するとともに、前記メッセージ欄において前記タグを前記メッセージ群の先頭及び最後尾のいずれか一方に表示するステップを含み、前記識別表示制御ステップは、前記カーソルで選択されたメッセージを含むメッセージ群と、前記カーソルで選択されたメッセージを含まないメッセージ群と、を前記表示ステップで識別表示させるステップを含む構成を有している。
【発明の効果】
【００１３】
本発明は、従来のものよりも視認性を高めてメッセージを表示することができるという効果を有する移動通信端末試験装置及びメッセージ表示方法を提供することができるものである。
【図面の簡単な説明】
【００１４】
【図１】本発明に係る移動通信端末試験装置の一実施形態におけるブロック構成図である。
【図２】本発明に係る移動通信端末試験装置の一実施形態において、ＬＴＥの通信規格に基づいて擬似基地局が移動通信端末と通信した際に、タグ付加部が複数のタグを付加した後のトレース情報の一例を示す図である。
【図３】本発明に係る移動通信端末試験装置の一実施形態において、通信条件タグテーブルの一例を示す図である。
【図４】本発明に係る移動通信端末試験装置の一実施形態において、メッセージ解析部が解析したメッセージの解析内容の一例を示す図である。
【図５】本発明に係る移動通信端末試験装置の一実施形態において、タグ検索部の検索結果の画面例を示す図である。
【図６】本発明に係る移動通信端末試験装置の一実施形態において、エラーメッセージ検索部が検出したエラーメッセージを示す図である。
【図７】本発明に係る移動通信端末試験装置の一実施形態において、識別表示制御部がトレース情報を識別表示した一例を示す図である。
【図８】本発明に係る移動通信端末試験装置の一実施形態のフローチャートである。
【発明を実施するための形態】
【００１５】
以下、本発明の実施形態について図面を用いて説明する。なお、本発明の移動通信端末試験装置を、ＬＴＥの通信規格に基づいて通信する移動通信端末の試験に適用した例を挙げて説明する。
【００１６】
図１に示すように、本実施形態における移動通信端末試験装置１は、移動通信端末２を試験するものであって、擬似基地局１０、操作部２１、表示部２２、表示制御部３０を備える。
【００１７】
擬似基地局１０は、送信部１１、受信部１２、結合器１３、制御部１４を備える。
【００１８】
送信部１１は、制御部１４によって指定された周波数の搬送波を所定の変調方式により変調し、基地局信号として結合器１３に出力するようになっている。この送信部１１の動作は制御部１４によって制御されるようになっている。
【００１９】
受信部１２は、被試験端末である移動通信端末２からの信号を結合器１３経由で受信するようになっている。この受信部１２の動作は制御部１４によって制御されるようになっている。
【００２０】
結合器１３は、送信部１１に接続された端子１３ａ、受信部１２に接続された端子１３ｂ、移動通信端末２に接続された端子１３ｃを有する。この構成により、結合器１３は、送信部１１からの送信信号を端子１３ａで受けて端子１３ｃから移動通信端末２に出力し、移動通信端末２が送信した信号を端子１３ｃで受けて端子１３ｂから受信部１２に出力するようになっている。
【００２１】
制御部１４は、試験対象の移動通信端末２に対して実行する各試験の試験手順のデータを記憶する試験手順記憶部１４ａを備えている。この試験手順は、後述する操作部２１を試験者が操作することにより設定される。制御部１４は、試験手順に基づいて、送信部１１、受信部１２、結合器１３の動作を制御し、送信部１１及び受信部１２が送受信したメッセージを表示制御部３０に出力するようになっている。
【００２２】
操作部２１は、試験者が操作するものであり、例えば、試験条件や試験手順に関する設定や、メッセージの識別表示、カーソル操作に関する設定等を行うための設定画面を表示するディスプレイ、キーボード、ダイヤル又はマウスのような入力デバイス、これらを制御する制御回路等で構成される。
【００２３】
表示部２２は、例えば、液晶ディスプレイで構成され、表示制御部３０の制御に従って、メッセージや測定データ等を表示するようになっている。
【００２４】
表示制御部３０は、メッセージ解析部３１、テーブル記憶部３２、タグ付加部３３、識別表示制御部３４、メッセージ記憶部３５、タグ検索部３６、エラーメッセージ（エラーＭＳＧ）検索部３７を備える。
【００２５】
メッセージ解析部３１は、制御部１４からのメッセージを解析することによりそのメッセージに含まれる種々の情報を取り出すようになっている。
【００２６】
テーブル記憶部３２は、予め定められた通信条件と予め定められたタグ（名札）とを関連付けた通信条件タグテーブル（詳細は後述）を記憶するようになっている。
【００２７】
タグ付加部３３は、メッセージ解析部３１が解析した複数のメッセージのうち互いに関連性を有し時系列的に連続する一連のメッセージ群を検出し、検出したメッセージ群ごとにタグを付加するようになっている（詳細は後述）。
【００２８】
識別表示制御部３４は、操作部２１において設定されたメッセージの識別表示の条件に従って、タグが付加されたメッセージ群を時系列的に表示部２２に表示する表示制御を行うようになっている。その結果、移動通信端末２と擬似基地局１０との間で送受信される各種のメッセージが、通信シーケンス順に並べられたトレース情報として表示部２２に表示される。また、識別表示制御部３４は、操作部２１の操作内容に応じて、少なくとも１つのメッセージにカーソルを当てて表示部２２に表示するカーソル表示部３４ａを備えている。
【００２９】
メッセージ記憶部３５は、識別表示制御部３４が表示部２２に表示するトレース情報を、タグとメッセージ群とを関連付けた状態で記憶するようになっている。
【００３０】
タグ検索部３６は、操作部２１で指定されたタグを、メッセージ記憶部３５に記憶されたデータから検索するようになっている。
【００３１】
エラーメッセージ検索部３７は、操作部２１で指定されたエラーメッセージを、メッセージ記憶部３５に記憶されたデータから検索するようになっている。
【００３２】
次に、トレース情報の一例を挙げ、タグ付加部３３の機能について説明する。
【００３３】
図２は、ＬＴＥの通信規格に基づいて擬似基地局１０が移動通信端末２と通信した際に、タグ付加部３３が複数のタグを付加した後のトレース情報の一例を示している。図２において、最上段に記載の「Ｕ−Ｓ」欄のうち、「Ｕ」は移動通信端末２を、「Ｓ」は擬似基地局１０を表している。「Ｍｅｓｓａｇｅ（メッセージ）」欄には、移動通信端末２と擬似基地局１０との間において送受されたメッセージが記載されている。「Ｄｅｓｃｒｉｐｔｉｏｎ（説明）」欄には、メッセージの説明が記載されている。「Ｕ−Ｓ」の欄に記載された矢印の向きは、メッセージが送出された方向を示している。例えば、右向きの矢印は、移動通信端末２から擬似基地局１０に向かう方向（上り方向）に送出されたメッセージである。なお、「Ｕ−Ｓ」欄の左側に記載した数字は、説明のために付した行番号である。この行番号が大きいほど新しいメッセージである。
【００３４】
まず、タグについて説明する。図２に示したトレース情報において、４行目に記載された「Ｓｅｔｕｐ」、７行目に記載された「Ｒｅｇｉｓｔｒａｔｉｏｎ」、２５行目に記載された「ＮＷ  Ｏｒｉｇｉｎａｔｉｏｎ」、３０行目に記載された「Ｓｅｔｕｐ」、３７行目に記載された「Ｒｅｃｏｎｆｉｇｕｒａｔｉｏｎｏ」、４０行目に記載された「ＮＷ  Ｒｅｌｅａｓｅ」は、それぞれ、本発明に係るタグに相当するものである。なお、「ＮＷ」は「Ｎｅｔ  Ｗｏｒｋ」の略語である。
【００３５】
これらのタグは、タグ付加部３３が、テーブル記憶部３２に記憶された通信条件タグテーブルを参照して付加するものである。通信条件タグテーブルの一例を図３に示す。図３に示すように、通信条件タグテーブルは、通信条件とタグとが予め関連付けられたものである。タグ付加部３３は、メッセージ解析部３１によって解析された情報に、図３に示した通信条件が含まれていた場合、その通信条件に関連するメッセージ群の先頭に、該当するタグを付加する。
【００３６】
例えば、図３において、１行目に示した「ＲＲＣＣｏｎｎｅｃｔｉｏｎＲｅｑｕｅｓｔ」というメッセージを擬似基地局１０が受信したことがメッセージ解析部３１によって解析された場合、タグ付加部３３は、これに関連するメッセージ群の先頭に「Ｓｅｔｕｐ」というタグを付加する。なお、「ＲＲＣ」は「Ｒａｄｉｏ  Ｒｅｓｏｕｒｃｅ  Ｃｏｎｔｒｏｌ」の略語である。
【００３７】
さらに、別の例を挙げて具体的に説明する。図２において、６行目に示した「ＲＲＣＣｏｎｎｅｃｔｉｏｎＳｅｔｕｐＣｏｍｐｌｅｔｅ」というメッセージをメッセージ解析部３１が受信したとする。メッセージをメッセージ解析部３１が、このメッセージを解析したところ、図４（ａ）に示すように、「ｄｅｄｉｃａｔｅｄＩｎｆｏＮＡＳ」という情報が含まれ、さらにこの情報には図４（ｂ）に示すように、「Ａｔｔａｃｈ  ｒｅｑｕｅｓｔ」という情報が含まれていたとする。この場合、タグ付加部３３は、通信条件タグテーブルを参照し、「Ｒｅｇｉｓｔｒａｔｉｏｎ」というタグを挿入する処理を行う。なお、「ＮＡＳ」は「Ｎｏｎ−Ａｃｃｅｓｓ  Ｓｔｒａｔｕｍ」の略語である。
【００３８】
すなわち、タグ付加部３３は、６行目に示した「ＲＲＣＣｏｎｎｅｃｔｉｏｎＳｅｔｕｐＣｏｍｐｌｅｔｅ」というメッセージの後に、「Ｒｅｇｉｓｔｒａｔｉｏｎ」というタグを挿入する。そして、タグ付加部３３は、この挿入処理を行ってから、以降のメッセージを順次確認して、通信条件タグテーブルに記載された通信条件が出現するまでのメッセージを同一のメッセージ群として扱う。図２においては、８行目に示した「ＤＬＩｎｆｏｒｍａｔｉｏｎＴｒａｎｓｆｅｒ」というメッセージから、２４行目に示した「ＲＲＣＣｏｎｎｅｃｔｉｏｎＲｅｌｅａｓｅ」というメッセージまでが１つのメッセージ群として「Ｒｅｇｉｓｔｒａｔｉｏｎ」というタグが付加されている。
【００３９】
タグが付加されたメッセージ群のデータは、トレース情報としてメッセージ記憶部３５に記憶される。メッセージ記憶部３５に記憶されたデータは、タグ検索部３６及びエラーメッセージ検索部３７によって所定の処理が行われる。
【００４０】
まず、タグ検索部３６の機能について説明する。メッセージ記憶部３５に記憶されたトレース情報には、膨大なタグ及びメッセージ群を含む。タグ検索部３６は、膨大なタグのなかから、試験者が指定したタグを検索する機能を有している。
【００４１】
例えば、試験者が、操作部２１を操作して、検索対象のタグを「ＮＷ  Ｏｒｉｇｉｎａｔｉｏｎ」と指定した場合、タグ検索部３６は該当するタグをメッセージ記憶部３５のデータから検索し、識別表示制御部３４は例えば図５に示すような検索結果の画面を表示部２２に表示させる。図５は「ＮＷ  Ｏｒｉｇｉｎａｔｉｏｎ」というタグにカーソルが当てられている状態を示したものである。試験者がさらに検索ボタン（図示せず）を押すと、検索ボタンを押すごとに別の「ＮＷ  Ｏｒｉｇｉｎａｔｉｏｎ」というタグにカーソルがジャンプする（図示せず）。その結果、試験者は、膨大なタグの中から検索対象のタグを容易に見つけることができる。
【００４２】
また、タグ検索部３６は、複数のタグ間を、タグが付加された順序の方向又はその逆方向にジャンプする機能を有する。例えば、図５において、「ＮＷ  Ｏｒｉｇｉｎａｔｉｏｎ」というタグにカーソルが当てられているとき、この機能を使用すると、図中の矢印に示すように、「Ｓｅｔｕｐ」→「Ｒｅｃｏｎｆｉｇｒａｔｉｏｎ」→「ＮＷ  Ｒｅｌｅａｓｅ」とカーソルが移動していく。その結果、試験者は、例えば、メッセージ群の内容を確認しながら、タグを検索していくことができる。
【００４３】
次に、エラーメッセージ検索部３７の機能について説明する。メッセージ記憶部３５に記憶されたトレース情報には、エラーメッセージが含まれる場合がある。エラーメッセージ検索部３７は、膨大なトレース情報の中から、エラーメッセージを検索する機能を有している。
【００４４】
例えば、試験者が、操作部２１を操作して、所定のエラーメッセージを指定した場合、エラーメッセージ検索部３７は、メッセージ記憶部３５に記憶されたトレース情報の中から、指定されたメッセージを検索する。例えば、「ＡＵＴＨＥＮＴＩＣＡＴＩＯＮ  ＦＡＩＬＵＲＥ」というエラーメッセージを検索した場合、図６に示すように、カーソルが当てられた状態で表示部２２に表示される。その結果、試験者は、エラーメッセージの内容やエラーが発生した箇所を容易に確認することができる。
【００４５】
次に、識別表示制御部３４の機能について説明する。識別表示制御部３４は、表示部２２に表示されるメッセージを、操作部２１において設定された識別表示の条件に従って識別表示するものである。例えば、識別表示制御部３４は、タグ検索部３６が検索したタグの文字を点滅させたり、エラーメッセージ検索部３７が検索したエラーメッセージの文字を赤色で表示したりすることを行うことができる。
【００４６】
また、識別表示制御部３４は、カーソルが当てられたメッセージを含むメッセージ群を、他のメッセージ群とは異なる表示形式で識別表示することもできる。例えば、識別表示制御部３４は、図７に示すように識別表示することもできる。図７において、「Ｓｅｔｕｐ」というタグが付加されたメッセージ群の中の「ＲＲＣＣｏｎｎｅｃｔｉｏｎＳｅｔｕｐＣｏｍｐｌｅｔｅ」というメッセージにカーソルが当てられている。この場合、識別表示制御部３４は、「Ｓｅｔｕｐ」というタグが付加されたメッセージ群をハイライト表示することにより、その他のメッセージ群よりも顕著に表示させることもできる。
【００４７】
次に、本実施形態における移動通信端末試験装置１の動作について図８を用いて説明する。なお、擬似基地局１０は、試験手順記憶部１４ａに記憶された試験手順に従って、移動通信端末２と通信しているものとする。
【００４８】
まず、メッセージ解析部３１は、制御部１４からメッセージを取得し（ステップＳ１１）、メッセージを解析する（ステップＳ１２）。
【００４９】
次に、タグ付加部３３は、取得したメッセージが、直前に受信したメッセージが属するメッセージ群とは異なるメッセージ群（以下「新メッセージ群」という。）に属するものであるか否かを判断する（ステップＳ１３）。
【００５０】
ここで、取得したメッセージが、擬似基地局１０が移動通信端末２に向けて送信したものである場合は、タグ付加部３３は、新メッセージ群に該当するか否かは容易に判断できる。一方、取得したメッセージが、移動通信端末２が擬似基地局１０に向けて送信したものである場合は、タグ付加部３３は、例えば、図２〜４を用いて説明したように、通信条件タグテーブルを参照し、取得したメッセージが新メッセージ群に該当するか否かを判断することができる。なお、取得したメッセージが擬似基地局１０からの最初のメッセージである場合は、タグ付加部３３は、取得したメッセージが新メッセージ群に属すると判断し、通信条件タグテーブルを参照して所定のタグを付加する。
【００５１】
ステップＳ１３において、取得したメッセージが新メッセージ群に該当しない場合は、ステップＳ１１に戻り、メッセージ解析部３１が新たなメッセージを取得する。
【００５２】
一方、ステップＳ１３において、取得したメッセージが新メッセージ群に該当する場合は、タグ付加部３３が通信条件タグテーブルを参照してタグを付加する（ステップＳ１４）。
【００５３】
次に、識別表示制御部３４は、タグ及びメッセージ群を表示部２２に表示させる表示制御処理を行って、表示部２２はタグ及びメッセージ群を表示する（ステップＳ１５）。
【００５４】
また、識別表示制御部３４は、タグ及びメッセージ群をメッセージ記憶部３５に記憶する（ステップＳ１６）。
【００５５】
そして、メッセージ解析部３１は、新たなメッセージを入力するか否かを判断し（ステップＳ１７）、新たなメッセージを入力する場合はステップＳ１１に戻り、新たなメッセージを入力しない場合は処理を終了する。
【００５６】
以上のように、本実施形態における移動通信端末試験装置１によれば、タグ付加部３３が互いに関連性のある一連のメッセージ群を検出し、検出したメッセージ群ごとにタグを付加するので、従来のものよりも視認性を高めてメッセージを表示することができる。
【００５７】
なお、前述の実施形態において、本発明に係る移動通信端末試験装置が、ＬＴＥの通信規格に基づいて通信する移動通信端末を試験する例を挙げたが、本発明はこれに限定されるものではなく、ＬＴＥ以外の通信規格に基づいて通信する移動通信端末に対しても、同様の効果を得ることができる。
【産業上の利用可能性】
【００５８】
以上のように、本発明に係る移動通信端末試験装置及びメッセージ表示方法は、従来のものよりも視認性を高めてメッセージを表示することができるという効果を有し、携帯電話やモバイル端末等の移動通信端末を試験する移動通信端末試験装置及びメッセージ表示方法等として有用である。
【符号の説明】
【００５９】
１  移動通信端末試験装置
２  移動通信端末
１０  擬似基地局
１１  送信部
１２  受信部
１３  結合器
１３ａ  端子
１３ｂ  端子
１３ｃ  端子
１４  制御部
１４ａ  試験手順記憶部
２１  操作部
２２  表示部
３０  表示制御部
３１  メッセージ解析部
３２  テーブル記憶部
３３  タグ付加部
３４  識別表示制御部
３４ａ  カーソル表示部
３５  メッセージ記憶部
３６  タグ検索部
３７  エラーメッセージ検索部
【図１】
0005539551.tif 000002
【図２】
0005539551.tif 000003
【図３】
0005539551.tif 000004
【図４】
0005539551.tif 000005
【図５】
0005539551.tif 000006
【図６】
0005539551.tif 000007
【図７】
0005539551.tif 000008
【図８】
0005539551.tif 000009